(57)【要約】      （修正有）【課題】梯子が許容傾斜範囲内になったか否かを確認しながら、容易に補助脚の伸縮長さを調整することができる梯子と梯子を備える脚立を提供する。【解決手段】梯子１の左側の脚１１に沿ってスライド自在な補助脚１２を設け、その係止手段１４の上方に位置するステップ１５に、振り子式傾斜計３を垂設する。振り子式傾斜計３には、揺動自在な指示針と、その先端部に位置する目盛板とが形成してあり、この目盛板の幅は、梯子１の許容傾斜範囲に対応する指示針の先端の揺動幅に形成してある。【選択図】図１
0003170449.tif 000002
【実用新案登録請求の範囲】
【請求項１】
左右の脚の少なくとも一方に沿ってスライド自在に設けた補助脚と、梯子の傾斜を指示する振り子式傾斜計とを備え、
上記補助脚は、任意のスライド位置において上記脚に係止できる係止手段を有し、
上記振り子式傾斜計は、上記係止手段の上方に位置する上記梯子のステップの上記補助脚を設けた側の端部に垂設してあり、
上記振り子式傾斜計は、支持軸と、この支持軸に揺動自在に設けた指示針と、この指示針の先端の揺動軌道に沿って目盛りを印した目盛板とを有し、
上記目盛板には、上記梯子の許容傾斜範囲に対応する上記指示針の先端の揺動範囲が印してある
ことを特徴とする傾斜計付きの梯子。
【請求項２】
上記指示針の先端部と、上記目盛板における梯子の許容傾斜範囲に対応する指示針の先端の揺動範囲とには、蛍光フィルムが貼着または蛍光塗料が塗布してある
ことを特徴とする請求項１に記載の傾斜計付きの梯子。
【請求項３】
上記振り子式傾斜計には、上記指示針の所定の揺動範囲を超える揺動を止めるストッパーが設けてある
ことを特徴とする請求項１または２に記載の傾斜計付きの梯子。
【請求項４】
請求項１〜３に記載の傾斜計付きの梯子と、この梯子の上端部を支点として開閉自在に設けた支持脚とを備える
ことを特徴とする傾斜計付きの脚立。
【考案の詳細な説明】
【技術分野】
【０００１】
本考案は、傾斜する地面等に梯子または脚立を設置するときに、この梯子または脚立の傾斜が容易に確認できる傾斜計付きの梯子及び脚立に関し、詳しくは、脚の長さを変える補助脚を備えた梯子または脚立であって、梯子が許容傾斜範囲内になったか否かを確認しながら、この補助脚の伸縮長さを調整することができる傾斜計付きの梯子及び脚立に関する。
【背景技術】
【０００２】
例えば林檎を採取するような場合には、梯子や脚立を立掛ける地面は、軟弱な傾斜面が多く、梯子や脚立が倒れたり滑ったりする危険があった。そこで本考案者は、梯子の左右の脚に沿ってスライド自在な補助脚を設け、この補助脚の下端面に滑り止め機構を設けた梯子を提案した（特許文献１参照。）。
【０００３】
上記特許文献１に記載の梯子では、補助脚の伸縮長さを調整すれば、傾斜面に対しても、梯子を倒れないように立掛けることが可能となる。しかるに梯子の傾斜をどの程度に抑えれば、梯子の上部に登っても倒れずに、安全に作業できるか否かを確認することは、梯子の傾きを眺めるだけでは、必ずしも容易ではない。特に長い梯子を使用して高所で作業する場合には、梯子の倒れは、重大な事故につながる。
【０００４】
ところで梯子のステップの上面に水準器を埋め込むことによって、計器によって傾斜を確認できる脚立が提案されている（特許文献２参照。）。また４本の脚のうち、対角線上に互いに位置する２本の脚の底面に脚長の調整手段を設け、さらにこの２本の脚の中間高さ位置に連結アームを設けて、この連結アームの上に水準器を設置した脚立が提案されている（特許文献３参照。）。すなわちこれらの脚立は、水準器によって脚立の傾きの程度を確認することができる。
【先行技術文献】
【特許文献】
【０００５】
【特許文献１】実登録３１２８８５１号公報（図１及び図３等）
【特許文献２】特開２００８−２６１１１６号公報（図１及び図２等、並びに段落「０００９」）
【特許文献３】特開２０００−３５２２８５号公報（図１〜図３等）
【考案の概要】
【考案が解決しようとする課題】
【０００６】
しかるに上記特許文献２及び３に記載の水準器付き脚立には、さらに改良すべき課題があることが判明した。すなわち特許文献２及び３に記載の水準器自体については、その詳細な説明はないが、添付図面からみて、それぞれアルコール等を密閉した透明容器に気泡を入れ、この気泡が左右に移動する位置によって、水平の程度を上部から視認するものである。
【０００７】
特許文献３に記載の脚立では、このような水準器は、その添付図１に示されているように、２本の脚を対角線上で結ぶ連結アームの上に設けてある。したがって傾斜する地面に立掛けて、２本の脚の底面に設けた低い位置にある調整手段によって脚長を調整しつつ、同時に上方から水準器の気泡位置を見て、水平の程度を確認することは容易ではない。このため脚長の調整手段を一旦調整した後に、水準器で水平の程度を確認し、不十分であれば、さらにこの作業を繰り替えして、所望の水平位置に到達するようにしなければならない。このような調整と確認とを交互に行なう作業は、多くの手間と時間とが掛かり、ひいては、適切な水平位置に調整することが疎かになり易いという危険性がある。
【０００８】
そこで特許文献３に記載の脚立において、特許文献１の記載に基づいて、２本の脚の底面に設けた長さ調整手段に替えて、脚に沿って補助脚を設け、さらに特許文献２の記載に基づいて、連結アームに替えて、水準器をステップの上面に埋め込むことが考えられる。しかるに水準器をステップの上面に埋め込むためには、他のステップと異なる複雑な形状のステップを、別途準備する必要がある。また上述した水準器をステップの上面に設けると、水準器の上面に設けた覗き窓が汚れ易くなり、水平位置の視認が困難になる。特に林檎園等は軟弱な地面であるため、靴底に泥が付き易く、ステップの上面に埋め込んだ水準器の上面に泥が溜り易い。さらには、水準器を備えていない脚立等に、水準器を後付けすることは困難となる。
【０００９】
また上述した水準器では、気泡の僅かな移動距離によって水平度を確認するものであり、かつ、水平度を正確に確認するためには、水準器に対して直角になる方向から視認する必要がある。このため水平度を正確に視認すること自体が、必ずしも容易ではなく、立掛けた梯子が許容傾斜範囲内にあるか否かを確認することも容易ではない。
【００１０】
そこで本考案の目的は、補助脚の伸縮長さを調整しつつ、同時に許容傾斜範囲内にあるか否かを確認することが容易な、傾斜計付きの梯子及び脚立を提供することにある。
【課題を解決するための手段】
【００１１】
上述した課題を解決するべく、本考案による傾斜計付きの梯子の特徴は、左右の脚の少なくとも一方に沿ってスライド自在に設けた補助脚と、梯子の傾斜を指示する振り子式傾斜計とを備えることにある。上記補助脚は、任意のスライド位置において上記脚に係止できる係止手段を有し、上記振り子式傾斜計は、上記係止手段の上方に位置する上記梯子のステップの上記補助脚を設けた側の端部に垂設してある。さらに上記振り子式傾斜計は、支持軸と、この支持軸に揺動自在に設けた指示針と、この指示針の先端の揺動軌道に沿って目盛りを印した目盛板とを有すると共に、この目盛板には、上記梯子の許容傾斜範囲に対応する上記指示針の先端の揺動範囲が印してある。
【００１２】
上記指示針の先端部と、上記目盛板における梯子の許容傾斜範囲に対応する指示針の先端の揺動範囲とには、蛍光フィルムが貼着または蛍光塗料が塗布してあるように構成することが望ましい。
【００１３】
上記振り子式傾斜計には、上記指示針の所定の揺動範囲を超える揺動を止めるストッパーが設けてあることが、より望ましい。
【００１４】
また上記傾斜計付きの梯子と、この梯子の上端部を支点として開閉自在に設けた支持脚とによって、傾斜計付きの脚立を構成することもできる。
【００１５】
ここで「梯子のステップ」とは、梯子を昇降するときに足を載せる階段を意味し、一定の横幅と奥行きを有するものであれば、その断面形状は問わない。例えば断面が円、矩形、及び下向きのＬ字や凹形状のものが該当する。
【００１６】
また「垂設」とは、上記「梯子のステップ」の前側面、後側面、または下面のいずれかに、ステップの上面より上方に突出する部分がないように設けることを意味し、このステップに予め固定しておく場合の他、後付けする場合も含む。なお固定または後付けの手段は問わない。例えばビスや接着剤を使用したり、ステップに設けた係止手段や嵌合手段に、係止したり嵌合させたりする手段が該当する。
【００１７】
「指示針の先端の揺動範囲が印してある」には、目盛板自体の幅を揺動範囲の幅に形成したり、目盛板においてこの揺動範囲だけを色分けしたりする他、この揺動範囲の両端に、太線、長線、色つき線、あるいは▽（逆三角形）等のマークを付することも含む。
【考案の効果】
【００１８】
従来技術における水準器に替えて、あえて振り子式傾斜計を採用することによって、梯子の傾斜の程度が大幅に視認し易くなり、林檎園等で従事する多くの高齢者等も、梯子の傾斜の程度が、より正しく確認できるようになる。すなわち振り子式傾斜計は、例えば指示針の揺動アーム長さを５ｃｍ程度にすれば、許容傾斜範囲に対応する指示針の揺動範囲は７ｍｍ程度にもなる。したがって水準器が示す気泡のわずかな移動距離に較べて、指示針の先端が示す揺動距離が大幅に大きくなり、梯子の傾斜の程度が、より正しくかつ容易に確認できるようになる。
【００１９】
また振り子式傾斜計を、補助脚の係止手段の上方に位置するステップの端部に垂設することによって、梯子の傾斜の程度を確認しながら、同時に補助脚の長さを調節することが容易になる。このため梯子が許容傾斜範囲になるように、迅速かつ正確に補助脚の長さを調節することが可能となる。振り子式傾斜計を、ステップの端部に垂設することによって、土足でステップに載る際に生じ得る汚れや損傷を回避することができる。また振り子式傾斜計を後付けしたり、取り替えたりすることも容易になる。
【００２０】
目盛板に、梯子の許容傾斜範囲に対応する指示針の先端の揺動範囲を印すことによって、梯子が許容傾斜範囲におさまるように、補助脚の長さを、より迅速かつ正確に調節することが可能となる。また指示針の先端部と、目盛板における梯子の許容傾斜範囲に対応する指示針の先端の揺動範囲とに、蛍光フィルムを貼着または蛍光塗料を塗布することによって、例えば日陰や夕闇のように、薄暗い状況においても、指示針の先端部が、梯子の許容傾斜範囲内に位置しているか否を、より容易かつ正確に確認することが可能となる。
【００２１】
振り子式傾斜計に、指示針の所定の揺動範囲を超える揺動を止めるストッパーが設けることによって、指示針が大きく振れ回って、例えばステップの下面等に引っ掛かったままになることを防止できる。すなわち一般には、水準器や振り子式傾斜計を取り付けた対象物は、それほど大きく姿勢等が変化したり、大きな衝撃を受けたりすることはない。しかるに梯子や脚立は、保管、移動あるいは設置等の際に、左右及び上下方向に大きく傾いたり回転したりするようにして、取り扱われるのが普通である。したがって梯子や脚立を、例えば横倒しにして保管あるいは移動するときに、指示針が大きく跳ね上がって、ステップの下面等に引っ掛かってしまうことが十分の生じ得る。
【００２２】
また上述した傾斜計付きの梯子と、この梯子の上端部を支点として開閉自在に設けた支持脚とによって脚立を構成することによって、上述した梯子と同等の作用効果を発揮させることができる。
【図面の簡単な説明】
【００２３】
【図１】傾斜計付きの脚立の斜視図である。
【図２】脚立に取り付けた振り子式傾斜計の一部拡大正面図である。
【図３】振り子式傾斜計の正面図である。
【図４】振り子式傾斜計の横断面図である。
【図５】他の振り子式傾斜計の横断面図である。
【考案を実施するための形態】
【００２４】
図１〜図５を参照しつつ、本考案による傾斜計付きの脚立の構成を説明する。さて図１は、３本脚の脚立であって、梯子１と、この梯子の左側の脚１１に沿ってスライド自在に設けた補助脚１２と、上端に設けた天板４の下面を支点として開閉自在に設けた１本の支持脚２と、ステップ１５に設けた、この梯子の傾斜を指示する振り子式傾斜計３とを備えている。補助脚１２は、任意のスライド位置において、脚１１に係止できる係止手段１４を有している。また振り子式傾斜計３は、係止手段１４の上方に位置する梯子１のステップ１５の、補助脚１２を設けた側の端部に垂設してある。
【００２５】
なお３本脚の脚立を構成する梯子１、補助脚１２、及び支持脚２は、それぞれアルミ製の四角パイプであって、天板４とステップ１５とは、アルミ製の平板をプレス加工して形成してある。ここで補助脚１２は、左側の脚１１の下側部分にリベットで固定されたアルミ製のガイド部材１３内に、スライド自在に挿入してある。係止手段１４は、ガイド部材１３の長さ方向のほぼ中央部分に設けてあって、この係止手段は、このガイド部材の内壁面に補助脚１２を押圧する押上げボルトを有し、この押上げボルトを緩めたり締め付けたりして、この補助脚を、任意の位置に係止する。
【００２６】
梯子１の右側の脚１１、及び補助脚１２の下端には、それぞれ滑り止め具１６が垂設してある。詳細は省略するが、滑り止め具１６は、周縁に切り込み部分を形成した円盤状のプレート、及びスプリングを介して、このプレートの中央部から突出するスパイクシャフトを備えている。したがって例えば軟弱地盤では、この円盤状のプレートによって、補助脚１２の下端が沈み込むのを防止しつつ、人の体重が掛かると、スパイクシャフトがプレートを貫通して地面に突き刺さって、これにより梯子１の横滑りを防止することができる。
【００２７】
また脚立を構成する１本の支持脚２は、上端に設けた天板４の下面に設けたヒンジ部に回転自在に設けてあり、梯子１に対して９０度以上に開脚することが可能になっている。また支持脚２は、天板４の下面に設けたヒンジ部に回転自在に設けた上部脚部２２と、この上部脚部にスライド自在に挿入された下部脚部２３とを有し、この下部脚部の下端には、上述したものと同様の滑り止め具２３が垂設してある。なお下部脚部２３は、任意のスライド位置において、上部脚部２２に係止する係止手段２４を備えており、支持脚２の長さを変更できるようにしてある。
【００２８】
また梯子１のステップ１５は、図１に示すように、周辺が上向きに突起する開口穴１５ａが多数形成してあり、靴の滑り止めと、靴底についた泥の泥落しとを可能にしている。なお図１及び図２に示すように、ステップ１５の左右端は、ブラケットを介して左右の脚１１、１１にリベット止めされる。
【００２９】
さて振り子式傾斜計３は、図１及び図２に示すように、補助脚１２を設けた側寄り、すなわちステップ１５の左端部に垂設してある。なお係止手段１４は、補助脚１２の下端から、３０〜６０ｃｍ上方の位置に設けてあり、振り子式傾斜計３は、１００〜１３０ｃｍ上方の位置に設けてある。このため、身体を大きく屈曲しない姿勢であっても、振り子式傾斜計３を見ながら、同時に係止手段１４によって補助脚１２の長さを調整することができる。したがって、振り子式傾斜計３によって傾きの程度を確認しつつ、容易かつ迅速に補助脚１２の長さを調整することができる。
【００３０】
さて図３〜図４に示すように、振り子式傾斜計３は、支持軸３１と、この支持軸に揺動自在に設けた指示針３２と、この支持軸を固定する支持板３３とを有している。なお指示針３２と支持板３３とは、それぞれ厚さ２ｍｍのアルミ板で形成してある。また支持軸３１は、ネジサイズ６Mのボルト３１ａを、支持板３３に設けた開口穴に挿入し、この支持板を挟んでナット３１ｂ、３１ｂによって固定する。指示針３２は、上端に開口穴を設けた鏃形状に形成してあり、この開口穴を介して、支持軸３１に揺動自在に吊り下げてある。なお指示針３２の揺動アームの長さ、すなわち開口穴の中心から鏃形状の先端の長さは、約５０ｍｍにしてある。
【００３１】
支持板３３には、前面から見て下端の突出部分を有する略半円形状の本体部３３ａと、この本体部の下端部に設けた目盛板３３ｂと、この本体部の上端部に設けた取り付け部３３ｃとが形成してある。目盛板３３ｂは、長さ１０ｍｍ、幅７ｍｍであって、指示針３２の下端から５ｍｍ下方に形成してある。ここで目盛板３３ｂの幅７ｍｍは、梯子１の許容傾斜範囲に対応する、指示針３２の先端の揺動範囲を示している。
【００３２】
この実施の態様においては、指示針３２の揺動アームの長さが５０ｍｍであり、目盛板３３ｂの幅が７ｍｍであるため、この指示針の先端が、この目盛板に重なる７ｍｍの揺動範囲は、梯子１の略８度の傾斜角度に対応する。したがって仮に梯子１の長さが１８０ｃｍとすれば、この梯子が左右にそれぞれ４度傾斜したときには、この梯子の上端は、それぞれ左右に１２．５ｃｍ移動した状態に相当する。
【００３３】
なお梯子１の許容傾斜範囲は、左右の脚１１、１１の下端における間隔や、この梯子に登って行なう作業姿勢等によって相違するが、傾斜角度を略８度、すなわち垂直線を挟んで左右にそれぞれ４度としたのは、多くの事例に基づく考案者の経験に基づくものである。また梯子１の許容傾斜範囲に対応する指示針３２の先端の揺動範囲を７ｍｍとしたのは、振り子式傾斜計３を邪魔にならないサイズに抑えつつ、かつ薄暗い場所においても年配者等が、容易に視認できる幅だからであり、これも考案者の経験に基づくものである。
【００３４】
図４に示すように、支持板３３の上端部に設けた取り付け部３３ｃは、横側から見て、下向きのＬ字形状に屈曲しており、その先端の屈曲部分を、ステップ１５の後側面１５ｃの内側面に、リベット３５によって固定する。なお図５に、振り子式傾斜計１０３の他の取り付け方法を示す。すなわち図５に示すように、横側から見て、支持板１３３の上端部に、取り付け部１３３ｃを水平に設け、ステップ１１５の水平部分１１５ａの下面に、梯子の手前側に向けて、リベット１３５によって固定する。
【００３５】
このように振り子式傾斜計３、１０３を、ステップ１５、１１５の下側に垂設することによって、靴についた泥によって汚れたり、梯子１等の昇降の際あるいは保管の際に損傷したりすることを、回避することが容易になる。
【００３６】
振り子式傾斜計３の指示針３１と目盛板３３ｂとの表面には、赤色の蛍光テープが貼着してある。したがって例えば日陰や夕闇のように、薄暗い状況においても、指示針３１の先端部が、梯子１の許容傾斜範囲内に位置しているか否を、より容易かつ正確に確認することが可能となる。
【００３７】
また図３及び図４に示すように、本体部３３ａの上方部分の両サイドには、この本体部の前側に突出するように、折り曲げ部３４、３４が形成してあり、指示針３１がそれ以上揺動することを防止するストッパーの役割を果たしている。
【００３８】
なお以上は、本考案による脚立について説明したが、支持脚２２や天板４を有しない梯子１だけで、本考案を構成することもできる。また補助脚１２を、左右の脚１１、１１の双方に設けてもよい。かかる場合は、まず梯子１のステップ１５が、おおよそ水平になるように、両方の補助脚１２の長さを調整し、その後振り子式傾斜計３に近い側の補助脚の長さを、この振り子式傾斜計を見ながら微調整すればよい。
【００３９】
振り子式傾斜計３の指示針３２、並びに支持板３３の本体部３３ａ、目盛板３３ｂ及び取り付け部３３ｃは、それぞれ上述した形状等に限らず、他の形状等で容易に形成することができる。また係合手段１４の高さ位置、指示針３２の揺動アーム長さ、及び目盛板３３ｂの幅の寸法も、それぞれ上述した寸法に限らず、他の寸法で容易に形成することができる。
【産業上の利用可能性】
【００４０】
本考案による傾斜計付き梯子及び脚立は、許容傾斜範囲内にあるか否かを容易に確認することができるため、梯子及び脚立に関する産業に広く利用可能である。
【符号の説明】
【００４１】
１                梯子
１１              脚
１２              補助脚
１４              係止手段
１５、１１５      ステップ
２                支持脚
３、１０３        振り子式傾斜計
３１              支持軸
３２              指示針
３３ｂ            目盛板
【図１】
0003170449.tif 000003
【図２】
0003170449.tif 000004
【図３】
0003170449.tif 000005
【図４】
0003170449.tif 000006
【図５】
0003170449.tif 000007